(57)【特許請求の範囲】
【請求項１】
水槽周側壁を構成する板状部材が水槽底部材に立設されており、該水槽周側壁を構成する各隣り合う板状部材における隣り合う側端部の間及び該各板状部材の下端部と該板状部材下端部に隣り合う前記水槽底部材の部分との間がそれぞれ接着材を兼ねる耐水性シール材で水密に封止された動植物観賞用水槽であって、
前記水槽周側壁は平面からみると４角形状の周側壁であり、該周側壁を構成する板状部材のうち各隣り合う板状部材は互いに直角状に隣り合っており、
前記接着材を兼ねる耐水性シール材はシリコーン系シール材であり、該シリコーン系シール材で水密に封止された各隣り合う板状部材における隣り合う側端部の間及び該各板状部材の下端部と該板状部材下端部に隣り合う前記水槽底部材の部分との間のうち少なくとも一部に沿って水槽内側から、水槽内動物による該シール材の損傷を抑制するためのシール材保護部材が配置されており、
該シール材保護部材は、断面形状が直角３角形状の棒状部材及び両斜辺が互いに直角をなす台形状の棒状部材から選ばれた棒状部材であり、該シール材保護部材に隣り合う部材部分に接着材を兼ねる耐水性シール材であるシリコーン系シール材で接着されているとともに該シリコーン系シール材で覆われていることを特徴とする動植物観賞用水槽。
【請求項２】
前記各隣り合う板状部材における隣り合う側端部の間及び該各板状部材の下端部と該板状部材下端部に隣り合う前記水槽底部材の部分との間のそれぞれに沿って水槽内側から前記シール材保護部材が配置されており、該シール材保護部材は、該シール材保護部材に隣り合う部材部分に前記接着材を兼ねるシリコーン系シール材で接着されているとともに該シリコーン系シール材で覆われている請求項１記載の動植物観賞用水槽。
【請求項３】
前記シリコーン系シール材は透明シール材であり、前記シール材保護部材は透明部材である請求項１又は２記載の動植物観賞用水槽。
【発明の詳細な説明】
【技術分野】
【０００１】
本発明は、魚等の動物の飼育や観賞、植物の育成や観賞等に用いることができる動植物観賞用水槽に関する。
【背景技術】
【０００２】
動物の飼育や観賞、植物の育成や観賞等に用いる水槽は、これまで種々のタイプのものが提案、開発され、実用に供されてきたが、その中に水槽周側壁を構成する板状部材が水槽底部材に立設され、該水槽周側壁を構成する各隣り合う板状部材における隣り合う側端部の間及び該各板状部材の下端部と該板状部材下端部に隣り合う前記水槽底部材の部分との間がそれぞれ接着材を兼ねる耐水性シール材で水密に封止された動植物観賞用水槽がある。
【０００３】
その１例を図８及び図９に示す。図８は従来例水槽の平面図であり、図９は図８のＰ−Ｐ線に沿う断面図である。
図８及び図９に示す水槽９は、底部材９２に周側壁９１を立設したものである。
底部材９２は、底板９２１にその下面側から縁枠９２２を嵌めるとともに接着材９２３で両者を固定したものである。底板９２１はそれに限定される必要はないがここではガラス板である。縁枠９２２はアルミニウムを主成分とする金属材料製である。
【０００４】
周側壁９１は、縦サイズが同じであるが横サイズが異なる２種類の板状部材（ここでは透明ガラス板）９１１、９１２を用いて構成されており、各ガラス板は図９に示すように、底板９２１の縁部９２１ｃに沿って所定間隔で配列された弾性を有する緩衝部材９２０を介して底板９２１の縁部９２１ｃに立設されている。
【０００５】
図８に示すように、隣り合うガラス板９１１と９１２、９１２と９１１、９１１と９１２、９１２と９１１のそれぞれにおける互いに隣り合うガラス板側端部９１１ａ、９１２ａは、上下方向に所定の間隔で配列された弾性を有する緩衝部材９１０を介して、互いに直角をなすように突き合わされている。
【０００６】
このように水槽周側壁９１を構成する各隣り合うガラス板における隣り合う側端部９１１ａと９１２ａの間は接着材を兼ねる耐水性シール材（ここではシリコーン系シール材）Ｓで水密に封止されている。
【０００７】
各ガラス板の下端部９１１ｂ（又は９１２ｂ）と該ガラス板下端部に隣り合う水槽底部材９２の部分（本例では水槽底板９２１の縁部９２１ｃ）との間も接着材を兼ねる耐水性シール材Ｓで水密に封止されている。シール材Ｓはいずれも同じシリコーン系シール材である。
【０００８】
図８及び図９に示すような水槽は、例えば、特許第３８０５０８６号公報に記載されている。
【特許文献１】特許第３８０５０８６号公報
【発明の開示】
【発明が解決しようとする課題】
【０００９】
ところがごく最近、水槽内の動物の中に、シール材を齧るなどするものがいることが判ってきた。例えば、プレコ、巻き貝類に属する種類の貝、ライブロック（live rock : 珊瑚の死骸がもとになっている石) に付いてくる動物などがシール材を齧る、食べるなどする恐れがある。
【００１０】
そこで本発明は、水槽周側壁を構成する板状部材が水槽底部材に立設されており、該水槽周側壁を構成する各隣り合う板状部材における隣り合う側端部の間及び該各板状部材の下端部と該板状部材下端部に隣り合う前記水槽底部材の部分との間がそれぞれ接着材を兼ねる耐水性シール材で水密に封止された動植物観賞用水槽であって、該シール材のうち少なくとも一部を水槽内動物から保護できる動植物観賞用水槽を提供することを課題とする。
【課題を解決するための手段】
【００１１】
前記課題を解決するため本発明は、
水槽周側壁を構成する板状部材が水槽底部材に立設されており、該水槽周側壁を構成する各隣り合う板状部材における隣り合う側端部の間及び該各板状部材の下端部と該板状部材下端部に隣り合う前記水槽底部材の部分との間がそれぞれ接着材を兼ねる耐水性シール材で水密に封止された動植物観賞用水槽であって、該耐水性シール材で水密に封止された各隣り合う板状部材における隣り合う側端部の間及び該各板状部材の下端部と該板状部材下端部に隣り合う前記水槽底部材の部分との間のうち少なくとも一部に沿って水槽内側から、水槽内動物による該シール材の損傷を抑制するためのシール材保護部材が配置されており、該シール材保護部材は、該シール材保護部材に隣り合う部材部分に接着材を兼ねる耐水性シール材で接着されている動植物観賞用水槽を提供する。
【００１２】
ここで、「該シール材保護部材は、該シール材保護部材に隣り合う部材部分に接着材を兼ねる耐水性シール材で接着されている」における「該シール材保護部材に隣り合う部材部分」とは、周側壁の隣り合う板状部材における隣り合う側端部の間に沿ってシール材保護部材が配置されているときの該シール材保護部材については、該シール材保護部材に隣り合う、板状部材の側端部であり、板状部材の下端部と該板状部材下端部に隣り合う前記水槽底部材の部分との間に沿ってシール材保護部材が配置されているときの該シール材保護部材については、該シール材保護部材に隣り合う、板状部材下端部とそれに隣り合う水槽底部材部分である。
【００１３】
本発明に係る水槽によると、周側壁の耐水性シール材で水密に封止された各隣り合う板状部材における隣り合う側端部の間及び該各板状部材の下端部と該板状部材下端部に隣り合う水槽底部材の部分との間のうち少なくとも一部に沿って水槽内側から、水槽内動物による該シール材の損傷を抑制するためのシール材保護部材が配置されており、該シール材保護部材は、該シール材保護部材に隣り合う部材部分に接着材を兼ねる耐水性シール材で接着されている。
【００１４】
従って、該シール材保護部材が配置された隣り合う板状部材における隣り合う側端部の間及び（又は）該各板状部材の下端部と該板状部材下端部に隣り合う水槽底部材の部分との間のシール材はシール材保護部材により水槽内動物の齧り等による損傷から保護される。そして、シール材保護部材は、水槽内動物による損傷から保護しようとする少なくとも一部のシール材に沿って設けることができ、そうすることで、水槽内動物による損傷から保護しようとするシール材を該水槽内動物から保護できる。
【００１５】
シール材保護部材は水槽内に部分的に設けるだけでも、それだけシール材を水槽内動物から保護することができるが、シール材の全体的保護のために、前記各隣り合う板状部材における隣り合う側端部の間及び該各板状部材の下端部と該板状部材下端部に隣り合う前記水槽底部材の部分との間のそれぞれに沿って水槽内側から前記シール材保護部材を配置するとともに該シール材保護部材を、該シール材保護部材に隣り合う部材部分に前記接着材を兼ねる耐水性シール材で接着するようにしてもよい。
【００１６】
本発明に係る前記動植物観賞用水槽における前記シール材保護部材は、これをより確実に長期にわたり所定位置に配置しておけるように、また、外観体裁をよくするためにも、該シール材保護部材を該シール材保護部材に隣り合う部材部分に接着する前記シール材と同じシール材で覆っている。換言すれば、シール材保護部材はシール材に埋め込まれている。
【００１７】
本発明に係る前記動植物観賞用水槽においては、前記耐水性シール材としてシリコーン系シール材を採用する。
例えば、該シリコーン系シール材を透明（略透明を含む）シール材とし、シール材保護部材を透明部材（例えば透明な塩化ビニル樹脂製のもの）とすれば、該保護部材をシール材に埋め込み配置すると、保護部材があるにも拘らず、それがある部分をすっきりと外観体裁良く仕上げることかできる。
【００１８】
本発明に係る動植物観賞用水槽における前記水槽周側壁は、平面からみると４角形状の周側壁であり、該周側壁を構成する板状部材のうち各隣り合う板状部材が互いに直角状に隣り合っている。このような周側壁に対し、前記シール材保護部材は、断面形状が直角３角形状の棒状部材及び両斜辺が互いに直角をなす台形状の棒状部材から選ばれた棒状部材である。
【発明の効果】
【００１９】
以上説明したように本発明によると、水槽周側壁を構成する板状部材が水槽底部材に立設されており、該水槽周側壁を構成する各隣り合う板状部材における隣り合う側端部の間及び該各板状部材の下端部と該板状部材下端部に隣り合う前記水槽底部材の部分との間がそれぞれ接着材を兼ねる耐水性シール材で水密に封止された動植物観賞用水槽であって、該シール材のうち少なくとも一部を水槽内動物による齧り等による損傷から保護できる動植物観賞用水槽を提供することができる。
【発明を実施するための最良の形態】
【００２０】
以下、本発明の実施形態について説明する。
図１は本発明に係る動植物観賞用水槽の１例Ａの平面図であり、図２は図１のＸ−Ｘ線に沿う断面図である。
【００２１】
図１、図２に示す水槽Ａは、次に説明する点を除けば、図８及び図９に示す水槽９と同じものであり、水槽９の部品、部分等と同じ部品、部分等には水槽９と同じ参照符号を付してある。
【００２２】
水槽Ａでは、周側壁９１を構成しているガラス板９１１、９１２のうち、順次隣り合うガラス板９１１と９１２、９１２と９１１、９１１と９１２、９１２と９１１のそれぞれにおける、シール材Ｓで水密に封止された、互いに隣り合うガラス板側端部９１１ａ、９１２ａの間に沿って水槽内側から縦方向にシール材保護部材ｍ１が配置され、各シール材保護部材ｍ１はそれに隣り合うガラス板側端部９１１ａ、９１２ａにそれぞれ同じシール材Ｓで接着され、さらに同じシール材Ｓで被覆されている。縦方向の各シール材保護部材ｍ１はシール材Ｓに埋設された恰好になっている。
【００２３】
各シール材保護部材ｍ１は、図３（Ａ）に示すように断面形状が直角３角形の棒状部材である。そして、図１に示すように該棒状部材の直角３角形断面を形成する内角が９０度の角部分ｍ１１の両側に連なる二つの面ｍ１２のうち一方がガラス側端部９１１ａに、他方がガラス側端部９１２ａシール材Ｓにて接着固定されている。保護部材ｍ１の面ｍ１２とこれに対向するガラス板側端部９１１ａ又は９１２ａとの間隙は、ここに水槽内動物が入り込んで該間隙におけるシール材Ｓを齧る等して損傷することが十分抑制される大きさに抑えられている。
なお、水槽Ａでのシール材Ｓは既述のとおり耐水性を有するシリコーン系のシール材であり、且つ、ここでは透明シール材（略透明のものも含む）である。保護部材ｍ１は透明樹脂製（ここでは透明塩化ビニル樹脂製）のものである。
【００２４】
また、左右のガラス板９１１の下端部９１１ｂとそれに隣り合う底部材９２の部分（ここでは底板９２１の左右の縁部９２１ｃ）とのシール材Ｓで封止された間隙及び前後のガラス板９１２の下端部９１２ｂとそれに隣り合う底部材９２の部分（ここでは底板９２１の前後の縁部９２１ｃ）とのシール材Ｓで封止された間隙に沿って前記のシール材保護部材ｍ１と同じ断面形状で、長さを調整した保護部材ｍ１が配置されている。各シール材保護部材ｍ１はそれに隣り合うガラス板下端部９１１ｂ又は９１２ｂに同じシール材Ｓで接着固定されているとともに、該ガラス板下端部に隣り合う底板９２１の縁部９２１ｃにも同じシール材Ｓで接着固定されている。水槽底のシール材保護部材ｍ１もシール材Ｓに埋設された恰好になっている。
【００２５】
そして、図２に示すように水槽底のシール材保護部材ｍ１の内角が９０度の角部分ｍ１１の両側に連なる二つの面ｍ１２のうち一方がガラス板下端部９１１ｂ又は９１２ｂに、他方が底板９２１の縁部９２１ｃにそれぞれシール材Ｓにて接着固定されている。このシール部材ｍ１の面ｍ１２とこれに対向するガラス板下端部９１１ｂ又は９１２ｂとの間隙及び該シール部材ｍ１の他方の面ｍ１２とこれに対向する底板縁部９２１ｃとの間隙は、ここに水槽内動物が入り込んで該間隙におけるシール材を齧る等して損傷することが十分抑制される大きさに抑えられている。
【００２６】
図３（Ｂ）は、水槽内において１本の縦方向のシール材保護部材ｍ１と、互いに直角をなす水槽底の２本のシール材保護部材ｍ１の３者が集まる水槽底のコーナにおいて、それら三つのシール材保護部材ｍ１を適当な裁断にて互いに突き合わせている例を示している。
【００２７】
以上説明した水槽Ａによると、周側壁９１の耐水性シール材Ｓで水密に封止された各隣り合うガラス板における隣り合う側端部９１１ａ、９１２ａの間及び同じくシール材Ｓで水密に封止された各ガラス板下端部９１１ｂ（又は９１２ｂ）とそれに隣り合う底板９２１の縁部９２１ｃとの間に沿って、水槽内側から、水槽内動物によるシール材Ｓの損傷を抑制するためのシール材保護部材ｍ１が当てがわれており、シール材保護部材ｍ１は、それに隣り合う部材部分に同じく接着材を兼ねる耐水性シール材Ｓで接着固定されている。      
【００２８】
従って、シール材保護部材ｍ１が当てがわれた隣り合うガラス板における隣り合う側端部９１１ａ、９１２ａの間のシールＳ及びガラス板下端部９１１ｂ（又は９１２ｂ）とそれに隣り合う水槽底部材の部分（底板９２１の縁部９２１ｃ）との間のシール材Ｓは該シール材保護部材ｍ１により水槽内動物の齧り等による損傷から水槽の使用上問題のない程度に保護され、それだけ水漏れの恐れを無くすことができる。
【００２９】
なお、水槽Ａでは、周側壁９１の上端に上枠が被着されていないが、上枠を被着した構造としてもよい。また、緩衝部材９１０や９２０は、あればガラス板同士の衝突損傷をそれだけ防ぐことができるが、なくても構わない。
【００３０】
図４から図７は本発明に係る動植物観賞用水槽の他の例Ｂを示している。
図４は水槽Ｂの正面図であり、図５は水槽Ｂの平面図である。図６は図４のＹ−Ｙ線に沿う断面図、図７は図５のＺ−Ｚ線に沿う断面図である。
【００３１】
水槽Ｂは、底部材２に周側壁１を立設し、周側壁１の上端に開口３０を有する上枠３を被着したものである。
底部材２は、図７に示すように、周縁部に周側壁嵌合用の溝２１１を形成した底枠２１上に光反射シート２２を介して底板ガラス２３を敷設したものである。
【００３２】
周側壁１は、縦サイズが同じであるが横サイズが異なる２種類の板状部材（ここでは透明ガラス板）１１、１２を用いて構成されており、各ガラス板は図７に示すように、底枠２１の溝２１１にガラス板下端部（ガラス板１１についてはその下端部１１ｂ、ガラス板１２についてはその下端部）が嵌め込まれ、且つ、前記と同様の接着材を兼ねるシリコーン系シール材Ｓにて固定されている。
【００３３】
またガラス板１１、１２のそれぞれの上端部は、図７に示すように、上枠３の周縁部の溝３１に嵌め込まれ、同じシール材Ｓでそこに固定されている。
【００３４】
水槽Ｂでは、周側壁１を構成しているガラス板１１、１２のうち、順次隣り合うガラス板１１と１２、１２と１１、１１と１２、１２と１１のそれぞれにおける、互いに隣り合うガラス板側端部１１ａ、１２ａの間が前記と同じシール材Ｓで水密に封止されているとともにそれらガラス板側端部１１ａ、１２ａに外側から合成樹脂製の支柱１３が当接されている。
【００３５】
支柱１３は内側に突条部１３１を一体的に有しており、該突条部１３１は隣り合うガラス板側端部１１ａ、１２ａの間に位置して、それらガラス板側端部１１ａ、１２ａ間の間隙を確保するとともにそれらガラス板側端部１１ａ、１２ａ同士が直接衝突し合うことを防いでいる。
【００３６】
そして、シール材Ｓで封止されたガラス板側端部１１ａ、１２ａ間に沿って、水槽内側からシール材保護部材ｍ２が配置され、各シール材保護部材ｍ２はそれに隣り合うガラス板側端部１１ａ、１２ａにそれぞれ同じシール材Ｓで接着され、さらに同じシール材Ｓで被覆されている。縦方向の各シール材保護部材ｍ２はシール材Ｓに埋設された恰好になっている。
なお、シール材保護部材ｍ２は透明合成樹脂製のもの（ここでは透明塩化ビニル樹脂製のもの）である。
【００３７】
各シール材保護部材ｍ２は、それには限定されないが、ここでは両斜辺が互いに直角をなす台形状の断面形状を有する棒状部材である。そして、図６に示すように、該斜辺を含む面ｍ２１のうち一方がガラス板側端部１１ａに、他方がガラス板側端部１２ａにそれぞれ前記と同じシール材Ｓにて接着固定されている。シール部材ｍ２の面ｍ２１とこれに対向するガラス板側端部１１ａ又は１２ａとの間隙は、ここに水槽内動物が入り込んで該間隙におけるシール材を齧る等して損傷することが十分抑制される大きさに抑えられている。
【００３８】
また、左右のガラス板１１の下端部１１ｂとそれに隣り合う底部材２の部分（ここでは底板ガラス２３の左右の縁部２３ｃ）の間及び前後のガラス板１２の下端部とそれに隣り合う底部材２の部分（ここでは底板ガラス２３の前後の縁部）の間もそれぞれシール材Ｓで水密に封止されている。
【００３９】
さらに、そのようにシール材で封止された左右ガラス板１１の下端部１１ｂとそれに隣り合う底板ガラス２３の左右の縁部２３ｃの間及び同じくシール材で封止された前後のガラス板１２の下端部とそれに隣り合う底板ガラス２３の前後の縁部との間のそれぞれに沿って、水槽Ａで使用した部材ｍ１と同じ断面形状で、長さを調整したシール材保護部材ｍ１が水槽内側から配置されている。
【００４０】
該シール材保護部材ｍ１は、それに隣り合うガラス板１１の下端部１１ｂ（又はガラス板１２の下端部）にシール材Ｓで接着固定されているとともに底板ガラス２３の縁部にも同じシール材Ｓで接着固定されている。水槽底のシール材保護部材ｍ１もシール材Ｓに埋設された恰好になっている。
【００４１】
そして、図７に示すように水槽底のシール材保護部材ｍ１の二つの面ｍ１２のうち一方がガラス板下端部に、他方が底板ガラス２３の縁部にそれぞれシール材Ｓにて接着固定されている。このシール部材ｍ１の一方の面ｍ１２とこれに対向するガラス板下端部との間隙及び該シール部材ｍ１の他方の面ｍ１２とこれに対向する底板ガラス縁部との間隙は、ここに水槽内動物が入り込んで該間隙におけるシール材を齧る等して損傷することが十分抑制される大きさに抑えられている。
【００４２】
この水槽Ｂにおいても、ガラス板側端部１１ａ、１２ａの間のシール材Ｓはシール材保護部材ｍ２により、また、ガラス板下端部と底板ガラス縁部との間のシール材Ｓはシール材保護部材ｍ１により、水槽内動物の齧り等による損傷から水槽の使用上問題のない程度に保護され、それだけ水漏れ等の恐れを無くすことができる。
【産業上の利用可能性】
【００４３】
本発明は、魚等の動物の飼育や観賞、植物の育成や観賞等に用いることができる水槽であって、水槽内動物によるシール材の齧り等による損傷を防ぐことができる水槽を提供することに利用できる。
【図面の簡単な説明】
【００４４】
【図１】本発明に係る動植物観賞用水槽の１例の平面図である。
【図２】図１のＸ−Ｘ線に沿う断面図である。
【図３】図３（Ａ）はシール材保護部材の１例の斜視図であり、図３（Ｂ）は水槽底のコーナ部分における３本のシール材保護部材の突き合わせ例を示す斜視図である。
【図４】本発明に係る動植物観賞用水槽の他の例の平面図である。
【図５】図４の水槽の平面図である。
【図６】図４のＹ−Ｙ線に沿う断面図である。
【図７】図５のＺ−Ｚ線に沿う断面図である。
【図８】従来例水槽の平面図である。
【図９】図８のＰ−Ｐ線に沿う断面図である。
【符号の説明】
【００４５】
Ａ、Ｂ、９  動植物観賞用水槽
１、９１  周側壁
１１、１２、９１１、９１２  ガラス板
１１ａ、１２ａ、９１１ａ、９１２ａ  ガラス板側端部
１１ｂ、９１１ｂ、９１２ｂ  ガラス板下端部
９１０、９２０  緩衝部材
１３  支柱
１３１  突条部
２、９２  底部材
２１  底枠
２１１  底枠の縁溝
２２  光反射シート
２３  底板ガラス
９２１  底板
９２２  縁枠
９２３  接着材
３        上枠
３１  上枠の溝
ｍ１、ｍ２  シール材保護部材
ｍ１１  部材ｍ１の直角部位
ｍ１２  部材ｍ１の面
ｍ２１  部材２の面
Ｓ  シール材
【図１】
0004943311.tif 000002
【図２】
0004943311.tif 000003
【図３】
0004943311.tif 000004
【図４】
0004943311.tif 000005
【図５】
0004943311.tif 000006
【図６】
0004943311.tif 000007
【図７】
0004943311.tif 000008
【図８】
0004943311.tif 000009
【図９】
0004943311.tif 000010